(57)【要約】【課題】ケースの動作を一層良く目視することのきる時計を開発する。【解決手段】時計は、ケース（４）付きのホイールと、ケースを低位置と高位置との間で軸方向に動かす移動機構（１から６）と、レバー（８）とを有する。ケース（４）は文字板又はムーブメント側から目視できるようになっている。レバー（８）は押ボタンによって、又はケース（４）を動かす移動機構（１乃至６）へ圧力を加える自律制御部材によって起動され、ケースをその低位置へ戻そうとするバネ（１１）の作用に抗して、ケースを高位置へと移動させる。【選択図】図１
2004286747.tif 000002
【特許請求の範囲】
【請求項１】
小歯車によって駆動される歯付きホイールによって回転されるケース（４）付きのホイールを有し、ケースが文字板又はムーブメント側から目視できるようになっている時計であって、
ケースを低位置と高位置との間で軸方向に動かすことができる移動機構と、
レバー（８）と、
を有し、そのレバーが押ボタンによって、又はケースの移動機構へ圧力を加える自律制御部材によって起動され、ケースをその低位置へ戻そうとするバネの作用に抗して、ケースを高位置へと移動させるようになっている時計。
【請求項２】
ケース（４）を低位置と高位置との間で軸方向に動かすことができる移動機構は、コラム（５）上を摺動するサポート（２）を有し、ケースが調節可能なサポート（１）によってサポート（２）上に取り付けられている請求項１に記載の時計。
【請求項３】
小歯車（６）は、ケース（４）が高位置と低位置との間で動くときに、中断することなくケース（４）を駆動できるようにその高さが設定されている請求項１に記載の時計。
【請求項４】
レバー（８）はケースとほぼ平行であり、ピン（１０）へ加えられる圧力によって起動されたときに、サポート（２）の中心を下方から動かすようになっている請求項１に記載の時計。
【請求項５】
レバー（８）の自由端部はサポート（２）と段付きピン（１２）との間に囲まれており、それによって、ピン（１０）へ圧力が加えられていないときには、バネ（１１）の作用によってケース（４）をその低位置まで戻すことができるようになっている請求項４に記載の時計。
【発明の詳細な説明】
【技術分野】
【０００１】
本発明は、小歯車によって駆動される歯付きホイールによって回転されるケース付きのホイールを有する時計、特に、腕時計又は懐中時計に関する。さらに詳しくは、本発明は、ケースが文字盤又はムーブメント側から目視できるようになっている時計に関する。
【背景技術】
【０００２】
ホイール又は円形エスケープ機構(carrousel escapement mechanism)を収容するケースは、一般に、ムーブメントに隣接して配置されるか、ケーシングの底部に配置される。使用者にとっての興味はホイールのケースの動作を見ることである。したがって、一般に、文字板には開口部があり、それを通してケースの動作を見ることができるようになっている。
【発明の開示】
【発明が解決しようとする課題】
【０００３】
本発明の目的は、時計の動作を停止することなく、ケースを持ち上げてそれを文字板に隣接させることによって、ケースの動作を一層良く目視できるようにすることである。その結果、使用者はホイールケースを持ち上げて上述のホイール動作を見ることができるようになる。
【課題を解決するための手段】
【０００４】
本発明の時計は、小歯車によって駆動される歯付きホイールによって回転されるケース付きのホイールを有し、ケースが文字板又はムーブメント側から目視できるようになっている。本発明の時計の特徴は、ケースを低位置と高位置との間で軸方向に動かすことができる移動機構と、レバーとを有しており、そのレバーが押ボタンによって、すなわち、ケースの移動機構へ圧力を加える自律制御部材によって起動され、ケースをその低位置へ戻そうとするバネの作用に抗して、ケースを高位置へと移動させるようになっているという点にある。
【０００５】
ケースを低位置と高位置との間で軸方向に動かすことができる移動機構は、コラム上を摺動するサポートを有し、ケースが調節可能なサポートによってサポート上に取り付けられている。
小歯車は、ケースが高位置と低位置との間で動くときに、中断することなくケースを駆動できるようにその高さが設定されている。
【０００６】
レバーはケースとほぼ平行であり、ピンへ加えられる圧力によって起動されたときに、サポートの中心を下方から動かすようになっている。
【０００７】
レバーの自由端部はサポートと段付きピンとの間に囲まれており、押ボタンによってピンへ圧力が加えられていないときには、バネの作用によってケースをその低位置まで戻すことができるようになっている。
【発明を実施するための最良の形態】
【０００８】
図面は、一例として、本発明の対象である時計の構成方法を示す。
【０００９】
図面に示されているホイール又は円形エスケープ機構は、ケース４を支持するリング状の調節可能なサポート１を有する（特に、図２参照）。サポート１は円柱状の孔を有するサポート２へ取り付けられている。サポート２は二つのコラム５に沿って摺動して、ケース４を持ち上げできるように配置されている。コラム５は受板３へ取り付けられ、ケースが低位置にあるときには、その受板上にサポート２が載置される。
【００１０】
図１に示されるように、ケース４は小歯車６によって駆動される。小歯車の高さは、ケースが高位置及び低位置にあるときに、ケースが均等かつ適切に駆動されるように設定されている。図２、３及び４においては、小歯車６は、ケース４の持ち上げ機構が見えるようにするために、取外されている。
【００１１】
受板３上には、ピン７の回りを旋回するレバー８が取付けられている。レバー８はケース４にほぼ平行な延出部分９を有しており、その自由端部がケースの軸Ｂと交わるサポート２の中心に対して押し付けられている（図１及び４）。
【００１２】
図示されない押ボタンによって起動されるピン１０がレバー８に押し付けられている。これによって、レバーがサポート２を持ち上げ、ケース４を低位置から図４に示される高位置へと動かす。レバー８はバネ１１の作用に抗してケース４を上方へ動かす。なお、バネ１１は、ピン１０を起動する押ボタンへ圧力が加えられていないときに、レバーを押し下げるように配置されている。
【００１３】
サポート２には、段付きピン１２が取り付けられている。この段付きピン１２はレバー８の自由端部を囲んでいる。
【００１４】
また、ピン１０は押ボタンによってではなく、時計の自律制御部材、特に、レバー８を起動する制御部材によって、所定の時間間隔、例えば、１時間毎に駆動させることもできる。
【００１５】
図１乃至４において説明される機構は、以下のように機能する。すなわち、図示されていない押ボタンによって、又は時計の自律制御部材によって、圧力が加えられるとき、ピン１０はレバー８を押圧する。その結果、レバー８がサポート２の下面に接触する。レバー８はピン７を中心にして旋回し、二つのコラム５によって案内されたサポート２を持ち上げる。
【００１６】
サポート１上に取付けられたケース４は軸Ｂに沿って上昇し、その高位置へ到達し、それによって、ケース４が文字板の下又は時計のベースの下から目視できるようになる。
【００１７】
明記すべき点は、ケース４が小歯車６に沿って上方へ動き、ケースが上方へ動かされる間、及び高位置にある間、その小歯車６によって駆動され続けることである。
【００１８】
ピン１０に対して圧力が加えられていないときには、バネ１１がレバー８をその初期位置へ戻し、レバーの自由端部は段付きピン１２上に載置され、サポート２が受板３と接触するまでそのサポート２を引き下げる。それによって、ケースは小歯車６に沿って動き、その低位置へと戻る。
【００１９】
このように、文字板又はムーブメント側から目視できるケースは、高位置まで移動させることが可能であり、その状態において、使用者がその動作を詳細に調べることができる。
【図面の簡単な説明】
【００２０】
【図１】本発明の時計の部分斜視図であり、ホイール又は円形エスケープ機構を含むケースを示す図である。
【図２】図１のＡ−Ａ線断面図であり、ケースが低位置にある状態を示す図である。
【図３】図１と同様な図であり、ケースの持ち上げ機構を示す目的のために、ケースの駆動小歯車が取外された状態を示す図である。
【図４】図２と同一の断面図であり、ケースが高位置にある状態を示す図である。
【符号の説明】
【００２１】
１  サポート
２  サポート
４  ケース
５  コラム
６  小歯車
８  レバー
１０  ピン
１１  バネ
１２  段付きピン
【図１】
2004286747.tif 000003
【図２】
2004286747.tif 000004
【図３】
2004286747.tif 000005
【図４】
2004286747.tif 000006